(57)【特許請求の範囲】
【請求項１】
吸気中へのパージを通じてベーパーを処理するベーパー処理装置を備える内燃機関に適用されて、空燃比を目標空燃比とすべく、燃料噴射量の空燃比フィードバック制御を行うとともに、ベーパーパージを行っていないときの空燃比フィードバック補正値に基づいて空燃比学習値の学習制御を行う内燃機関の制御装置において、
インジェクター温度の変化量が規定のリセット判定値よりも大きいことを条件に、ベーパーパージを中止して空燃比学習値の再学習を実行する
ことを特徴とする内燃機関の制御装置。
【請求項２】
当該制御装置は、ベーパーパージ中の空燃比フィードバック補正値に基づいてパージ濃度学習値の学習制御を行うものである
請求項１に記載の内燃機関の制御装置。
【請求項３】
現状の前記インジェクター温度が高いほど、前記リセット判定値に小さい値を設定する
請求項１又は２に記載の内燃機関の制御装置。
【請求項４】
使用中の燃料が軽質燃料であるときには、重質燃料であるときに比して、前記リセット判定値に小さい値を設定する
請求項１〜３のいずれか１項に記載の内燃機関の制御装置。
【請求項５】
燃料の給油がなされた直後には、そうでないときに比して、前記リセット判定値に小さい値を設定する
請求項１〜４のいずれか１項に記載の内燃機関の制御装置。
【発明の詳細な説明】
【技術分野】
【０００１】
本発明は、ベーパー処理装置を備える内燃機関に適用されて、空燃比フィードバック制御と空燃比学習値の学習制御とを行う内燃機関の制御装置に関するものである。
【背景技術】
【０００２】
空燃比制御を行う内燃機関では、ベース燃料噴射量を空燃比フィードバック補正値により補正するとともに、空燃比の検出結果に応じて空燃比フィードバック補正値を増減することで、空燃比を目標空燃比とするようにしている。またこうした内燃機関の多くでは、目標空燃比を得るために必要な燃料噴射量とベース燃料噴射量との定常偏差を空燃比学習値として学習する空燃比学習制御を行っている。
【０００３】
一方、車載等の内燃機関には、ベーパー（燃料蒸気）処理装置が搭載されたものがある。ベーパー処理装置を備える内燃機関では、燃料タンクで発生したベーパーをキャニスターに捕集するとともに、捕集したベーパーを適時吸気中にパージすることで、ベーパーの処理を行っている。
【０００４】
こうしたベーパー処理装置を備える内燃機関では、空燃比制御にとってはパージガスが外乱となる。そこで、そうした内燃機関の多くでは、ベーパーパージに伴う空燃比の変化からベーパー濃度学習値の学習を行い、そのベーパー濃度学習値に応じて燃料噴射量を補正することで、ベーパーパージが空燃比制御に与える影響を低減するようにしている。
【０００５】
また、そうした内燃機関では、パージガスは、空燃比学習制御にとっても外乱となる。そこで従来、特許文献１には、キャニスターの捕集燃料が多いときには、空燃比学習を中止してベーパーパージを行う一方で、捕集燃料が少なくてベース空燃比の学習が未完のときには、ベーパーパージを中止して空燃比学習を行う技術が開示されている。こうした従来の技術では、キャニスターの捕集燃料量に応じて空燃比学習、ベーパーパージのいずれを優先するかが決定される。そのため、こうした従来技術によれば、ベーパーパージの実行機会を確保しつつも、パージガスの影響による空燃比学習値の誤学習を防止することができるようになる。
【先行技術文献】
【特許文献】
【０００６】
【特許文献１】特開平７−２９３３６２号公報
【発明の概要】
【発明が解決しようとする課題】
【０００７】
ところで、ベーパーパージ制御では、空燃比学習が完了してからベーパーパージを開始するようにしている。そしてベーパーパージの実行中は、空燃比学習を中止するとともに、その間の空燃比のずれは、パージガスの影響によるものとして、パージ濃度学習値に反映させるようにしている。
【０００８】
一方、インジェクターが高温となると、噴孔部分にベーパーが発生して実質的な噴孔面積が減少したり、インジェクター内のコイルの磁力が低下したりして、燃料噴射率が低下する。したがって、空燃比学習を一旦完了した後に、インジェクター温度が変化すると、その影響による空燃比のずれまでがパージ濃度学習値に反映されてしまうため、誤学習となってしまう。このように、ベーパーパージ実行中にインジェクター温度が変化すると、ベーパーパージによる空燃比のずれとインジェクターの温度変化による空燃比のずれとを峻別することができなくなり、パージ濃度学習を始めとする空燃比制御全般に悪影響を与えるようになる。
【０００９】
本発明は、こうした実情に鑑みてなされたものであり、その解決しようとする課題は、インジェクター温度の変化による空燃比のずれが空燃比制御に与える悪影響を好適に防止することのできる内燃機関の制御装置を提供することにある。
【課題を解決するための手段】
【００１０】
本願請求項１に記載の発明は、吸気中へのパージを通じてベーパーを処理するベーパー処理装置を備える内燃機関に適用されて、空燃比を目標空燃比とすべく、燃料噴射量の空燃比フィードバック制御を行うとともに、ベーパーパージを行っていないときの空燃比フィードバック補正値に基づいて空燃比学習値の学習制御を行う内燃機関の制御装置をその前提としている。そして上記課題を解決するため、請求項１に記載の発明では、インジェクター温度の変化量が規定のリセット判定値よりも大きいことを条件に、ベーパーパージを中止して空燃比学習値の再学習を実行するようにしている。
【００１１】
空燃比学習の完了後、インジェクター温度が大きく変化すると、その温度変化による空燃比のずれが空燃比制御に重畳されてしまうため、ベーパーパージによる空燃比のずれとインジェクター温度による空燃比のずれとを峻別することができなくなってしまう。その点、上記構成では、インジェクター温度が大きく変化すると、ベーパーパージを中止して空燃比学習値の再学習が行われるようになる。そのため、インジェクター温度による空燃比のずれが空燃比学習値に吸収されるようになり、ベーパーパージ再開後の空燃比のずれにはベーパーパージの影響のみが反映されるようになる。このように上記構成では、インジェクターの温度変化に拘わらず、ベーパーパージによる空燃比のずれを適切に求めることができるようになる。そしてそれにより、パージ濃度学習値の学習制御のような、ベーパーパージによる空燃比のずれを確認した上で行われる制御を好適に行うことができるようになる。したがって、上記構成によれば、インジェクター温度の変化による空燃比のずれが空燃比制御に与える悪影響を好適に防止することができるようになる。
【００１２】
なお、上述したように、インジェクター温度が大きく変化したときにベーパーパージを中止して空燃比学習値を再学習すれば、インジェクター温度の変化による空燃比のずれを空燃比学習値に吸収させることで、ベーパーパージによる空燃比のずれだけを求めることが可能となる。したがって、請求項２によるような、ベーパーパージ中の空燃比フィードバック補正値に基づいてパージ濃度学習値の学習制御を行う制御装置に本発明を適用すれば、インジェクター温度の変化に拘らず、パージ濃度学習値の学習を適切に行うことができるようになる。
【００１３】
ところで、インジェクターの温度変化に対する空燃比のずれの感度は、インジェクター温度が高いほど大きくなる。すなわち、インジェクター温度の変化量が同じでも、その変化による空燃比のずれは、インジェクター温度が低いときほど小さくなる。したがってインジェクター温度の低いときには、インジェクター温度が変化しても、空燃比のずれは小さいものに留まることから、空燃比学習値の再学習の頻度を減らしても問題ないことになる。したがって、請求項３によるように、現状のインジェクター温度が高いほど、リセット判定値に小さい値を設定するようにすれば、空燃比学習値の再学習のためのベーパーパージの実行機会の減少を抑えながらも、インジェクター温度の変化による空燃比のずれが空燃比制御に与える悪影響を好適に防止することができるようになる。
【００１４】
また使用中の燃料が軽質燃料であるときには、揮発性が高く、インジェクターの噴孔部分にベーパーが発生し易いため、重質燃料であるときに比して、インジェクター温度の変化に伴う空燃比のずれが大きくなる。したがって、請求項４によるように、使用中の燃料が軽質燃料であるときには、重質燃料であるときに比して、リセット判定値に小さい値を設定するようにすれば、空燃比学習値の再学習のためのベーパーパージの実行機会の減少を抑えながらも、インジェクター温度の変化による空燃比のずれが空燃比制御に与える悪影響を好適に防止することができるようになる。
【００１５】
ところで、燃料タンクの燃料は、揮発性の高い軽質成分から順次気化するため、時間の経過とともに重質となる。そのため、燃料の給油がなされた直後には、インジェクター温度の変化に伴う空燃比のずれが大きくなる。したがって、請求項５によるように、燃料の給油がなされた直後には、そうでないときに比して、リセット判定値に小さい値を設定するようにすれば、空燃比学習値の再学習のためのベーパーパージの実行機会の減少を抑えながらも、インジェクター温度の変化による空燃比のずれが空燃比制御に与える悪影響を好適に防止することができるようになる。
【図面の簡単な説明】
【００１６】
【図１】本発明の第１実施形態の適用される内燃機関の吸気系、排気系及びベーパー処理系の構成を模式的に示す略図。
【図２】同実施形態におけるリセット判定値とインジェクター温度との関係を示すグラフ。
【図３】同実施形態において適用される空燃比学習値再学習判定ルーチンのフローチャート。
【図４】本発明の第２実施形態での軽質燃料使用時及び重質燃料使用時のそれぞれにおけるリセット判定値とインジェクター温度との関係を示すグラフ。
【図５】同実施形態での軽質燃料使用時及び重質燃料使用時のそれぞれにおける燃料噴射補正量とインジェクター温度との関係を示すグラフ。
【図６】本発明の第３実施形態での通常時及び大量給油直後のそれぞれにおけるリセット判定値とインジェクター温度との関係を示すグラフ。
【図７】同実施形態での通常時及び大量給油直後のそれぞれにおける燃料噴射補正量とインジェクター温度との関係を示すグラフ。
【発明を実施するための形態】
【００１７】
（第１の実施形態）
以下、本発明の内燃機関の制御装置を具体化した一実施形態を、図１〜図３を参照して詳細に説明する。
【００１８】
図１に、本実施の形態の適用される内燃機関の吸気系、排気系及びベーパー処理系の構成を示す。同図に示すように内燃機関１０は、燃焼室１１、吸気通路１２及び排気通路１３を備えている。内燃機関１０の運転にあたっては燃料タンク３０内に備蓄された燃料（例えばガソリン）が燃料ポンプ３１によって汲み出され、燃料供給通路を通じてデリバリーパイプ１２ａに送られた後、インジェクター１２ｂによって吸気通路１２内に噴射供給される。この吸気通路１２の上流には、アクセルペダル（図示略）の踏み込み操作に基づいて吸気通路１２の流路面積を可変とするスロットルバルブ１２ｃが設けられている。更に吸気通路１２には、吸入空気を浄化するためのエアクリーナー１２ｄ、及び吸気通路１２の内圧、すなわち吸気圧ＰＭを検出するための吸気圧センサー１２ｅが設けられている。
【００１９】
一方、排気通路１３には、内燃機関１０からの排気ガスを浄化するための触媒コンバーター１３ａが設けられ、その上流には、排気ガス中の酸素濃度を検出するための空燃比センサー１３ｂが配設されている。そしてこの空燃比センサー１３ｂの検出信号に応じて、燃焼室１１で燃焼される混合気の空燃比が求められるようになっている。
【００２０】
一方、ベーパー処理装置２０は、燃料タンク３０から発生するベーパーを捕集するキャニスター４０や、その捕集されたベーパーを内燃機関１０の吸気通路１２にパージするパージライン７１を備えている。このベーパー処理装置２０にあって、燃料タンク３０の天井部分には、燃料タンク３０内の圧力を検知するためのタンク内圧センサー３２と、ブリーザー制御バルブ３３とが設けられている。タンク内圧センサー３２は、燃料タンク３０及びこれに連通する領域の圧力を検出する。またブリーザー制御バルブ３３は、ダイアフラム式の差圧弁であり、給油時等、燃料タンクの内圧がブリーザーライン３４内の圧力より所定圧以上高くなるときに自律的に開弁して、ブリーザーライン３４を介してベーパーをキャニスター４０に逃がすように構成されている。
【００２１】
更に燃料タンク３０は、ブリーザーライン３４よりも通路内径の小さなベーパーライン３５を介してキャニスター４０に連通可能となっている。ベーパーライン３５とキャニスター４０との間に設けられたタンク内圧制御バルブ６０は、先のブリーザー制御バルブ３３と同様の機能を有するダイアフラム式差圧弁として構成されている。そしてタンク内圧制御バルブ６０内のダイアフラム弁体６１は、燃料タンク３０内の圧力がキャニスター４０内の圧力より所定圧以上高くなるときのみ、タンク内圧制御バルブ６０を開弁させるようになっている。
【００２２】
キャニスター４０は、その内部に吸着剤（例えば活性炭）を備え、ベーパーを該吸着剤に吸着させて一時的に蓄えた後、大気圧よりも低い圧力下におかれることによって、すなわち負圧状態となることによって、この吸着剤に吸着させたベーパーを再離脱させることが可能となっている。キャニスター４０は、ブリーザーライン３４及びベーパーライン３５を介して燃料タンク３０と連通可能である他、パージライン７１を経由して吸気通路１２に連通可能であり、更に大気バルブ７０を介して大気導入ライン７２及び大気排出ライン７３にも連通している。
【００２３】
なお、パージライン７１の途中にはパージ調整バルブ（ＶＳＶ）７１ａが設けられている。このＶＳＶ７１ａは単なる開閉弁ではなく、全閉状態（開度０％）から全開状態（開度１００％）まで任意に開度調節可能なタイプであり、外部からのデューティ制御によって駆動する。
【００２４】
また、エアクリーナー１２ｄに連通する大気導入ライン７２の途中には、大気導入バルブ７２ａが設けられている。
大気バルブ７０内には、各々が異なる機能を有する二つのダイアフラム弁体７４，７５が設けられている。第１のダイアフラム弁体７４は、その背面側の空間７４ａがパージライン７１と連通しており、パージライン７１が所定圧以下の負圧状態になると開弁して大気導入ライン７２からキャニスター４０内への外気の流入を許容する。一方、第２のダイアフラム弁体７５は、キャニスター４０内が所定圧以上の正圧に達すると開弁してキャニスター４０から大気排出ライン７３へ余分な空気を排出させる。
【００２５】
キャニスター４０の内部は仕切板４１によって、第１吸着剤室４２と第２吸着剤室４３とに区画されている。第１吸着剤室４２及び第２吸着剤室４３は吸着剤（活性炭）で満たされるも、両室はキャニスター底部（図１では右側）において通気性フィルター４４を介して連通している。燃料タンク３０は、一方ではベーパーライン３５及びタンク内圧制御バルブ６０を介して、他方ではブリーザー制御バルブ３３及びブリーザーライン３４を介して第１吸着剤室４２に連通可能となっている。また、大気導入ライン７２及び大気排出ライン７３は、大気バルブ７０を介して第２吸着剤室４３に連通可能となっている。そして、ＶＳＶ７１ａを備えたパージライン７１は、キャニスター４０の第１吸着剤室４２と、吸気通路１２のスロットルバルブ１２ｃ下流位置とを連結しており、ＶＳＶ７１ａの開弁動作に応じて第１吸着剤室４２とスロットルバルブ１２ｃ下流位置とを連通する。
【００２６】
なお第１吸着剤室４２には、上記ベーパーライン３５、ブリーザーライン３４、及びパージライン７１がそれぞれ開口するキャニスター４０の天井部分と吸着剤とを隔てるキャニスター空気層４５が形成されている。よってベーパーライン３５やブリーザーライン３４から導入されたベーパーは、一旦はキャニスター空気層４５のパージガスに混入された後、徐々に第１吸着剤室４２の内部の吸着剤に吸着される。このため給油時等の燃料タンク３０からの多量のベーパー流入時であれ、そのキャニスター空気層４５が緩衝となり、吸着剤の劣化が抑制されるようになっている。
【００２７】
また、大気バルブ７０を構成する第２のダイアフラム弁体７５が開弁してキャニスター４０内の余分な空気が大気排出ライン７３から排出される場合でも、キャニスター空気層４５のパージガス中に蓄積されたベーパーは、第２吸着剤室４３を通過する際にその内部の吸着剤に吸着されるようになっている。
【００２８】
加えてベーパー処理装置２０には、タンク内圧制御バルブ６０（またはベーパーライン３５の一端部）とキャニスター４０の第２吸着剤室４３とを連絡するように負圧導入用のバイパスライン８０が設けられている。このバイパスライン８０の途中には、バイパス制御バルブ８０ａが設けられている。このバイパス制御バルブ８０ａの開弁時には、バイパスライン８０及びベーパーライン３５を介して第２吸着剤室４３と燃料タンク３０とが直接連通する。
【００２９】
こうした内燃機関１０及びそのベーパー処理装置２０は、電子制御装置（ＥＣＵ）５０により制御されている。ＥＣＵ５０には、上記吸気圧センサー１２ｅ、タンク内圧センサー３２のほかに、エンジン回転速度（ＮＥ）センサーや気筒判別センサー等の内燃機関１０の運転制御に必要な各種センサーが直接的または間接的に接続されている。またＥＣＵ５０には、インジェクター１２ｂ、燃料ポンプ３１、ＶＳＶ７１ａ、大気導入バルブ７２ａ及びバイパス制御バルブ８０ａが、それぞれの駆動回路を介して接続されている。
【００３０】
ＥＣＵ５０は、各センサーから提供される各種情報に基づき、空燃比フィードバック制御、空燃比学習制御、燃料噴射量の制御、点火タイミング制御等のエンジン制御を実行する。空燃比フィードバック制御は、機関回転速度や機関負荷から算出されたベース噴射量を空燃比フィードバック補正値にて補正するとともに、空燃比を目標空燃比とすべく、空燃比の検出結果に基づき空燃比フィードバック補正値を増減することで行われる。また空燃比学習制御は、実空燃比を目標空燃比とするために必要な燃料噴射量とベース噴射量との定常的なずれを空燃比学習値として学習する制御であり、その学習は、ベーパーパージを行っていないときの空燃比フィードバック補正値に基づいて行われる。
【００３１】
また、ＥＣＵ５０は、タンク内圧センサー３２からの出力信号を認識しつつ、ＶＳＶ７１ａ、大気導入バルブ７２ａ及びバイパス制御バルブ８０ａを適宜開閉制御することで、ベーパーパージ制御やベーパー処理装置２０の自己診断を行ってもいる。
【００３２】
さて以上のように構成された本実施の形態では、ＥＣＵ５０は、空燃比学習値の学習が完了していることを条件に、ベーパーパージを実施するようにしている。またＥＣＵ５０は、ベーパーパージの実行中は、空燃比学習を中止するとともに、その間の空燃比のずれは、パージガスの影響によるものとして、パージ濃度学習値に反映させるようにしている。
【００３３】
一方、インジェクター１２ｂが高温となると、その噴孔部分にベーパーが発生して実質的な噴孔面積が減少したり、インジェクター１２ｂ内のコイルの磁力が低下したりして、燃料噴射率が低下する。したがって、空燃比学習を一旦完了した後に、インジェクター温度が変化すると、その影響による空燃比のずれまでがパージ濃度学習値に反映されてしまうようになる。このように、ベーパーパージ実行中にインジェクター温度が変化すると、ベーパーパージによる空燃比のずれとインジェクターの温度変化による空燃比のずれとを峻別することができなくなり、パージ濃度学習を始めとする空燃比制御全般に悪影響を与えるようになる。
【００３４】
そこで本実施の形態では、ベーパーパージ中にＥＣＵ５０は、ベーパーパージ開始後のインジェクター温度の変化量が規定のリセット判定値よりも大きいか否かを確認するようにしている。そしてＥＣＵ５０は、上記変化量がリセット判定値よりも大きいことを条件に、ベーパーパージを中止して空燃比学習値の再学習を実行するようにしている。こうした再学習を行えば、インジェクター温度による空燃比のずれは、空燃比学習値に吸収されるようになる。そのため、再学習後の空燃比フィードバック補正値の値には、ベーパーパージの影響による空燃比のずれのみが反映されるようになる。したがって、空燃比学習値の再学習後の空燃比フィードバック補正値に基づくことで、インジェクター温度の変化に拘わらず、適切にパージ濃度学習値の学習を行うことができるようになる。
【００３５】
なお、インジェクター温度に対する空燃比のずれの感度は、インジェクター温度が高いほど大きくなる。そのため、インジェクター温度の変化量が同じでも、その変化による空燃比のずれは、インジェクター温度が低いときほど小さくなる。したがってインジェクター温度の低いときには、インジェクター温度が変化しても、空燃比のずれは小さいものに留まることから、空燃比学習値の再学習の頻度を減らしても問題ないことになる。
【００３６】
そこで本実施の形態では、現状のインジェクター温度が高いほど、上記リセット判定値に小さい値を設定するようにしている。こうした場合、インジェクター温度が高いときには、より小さい温度変化で空燃比学習値の再学習が行われるようになる。
【００３７】
図２は、インジェクター温度に応じたリセット判定値の設定態様を示している。このようにリセット判定をインジェクター温度に応じて可変設定すれば、空燃比学習値の再学習のためのベーパーパージの実行機会の減少を抑えながらも、インジェクター温度の変化による空燃比のずれが空燃比制御に与える悪影響を好適に防止することができるようになる。
【００３８】
ちなみに、本実施の形態においてインジェクター温度は、機関冷却水温から算出される内燃機関１０からの受熱量、吸気温に基づいて算出される吸気による冷却量、燃料温度に基づいて推定して求められている。
【００３９】
図３は、こうした本実施の形態に適用される空燃比学習値再学習判定ルーチンのフローチャートを示している。本ルーチンの処理は、ベーパーパージの実行中にＥＣＵ５０によって、規定の制御周期毎に繰り替し実行されるものとなっている。
【００４０】
さて、本ルーチンが開始されると、ＥＣＵ５０はまずステップＳ１００において、インジェクター１２ｂが高温となっているときに前回の空燃比学習値の学習が行われたか否かを確認する。ここでＥＣＵ５０は、高温時に学習がなされていれば（Ｓ１００：ＹＥＳ）、処理をステップＳ１０２に移行する。一方、ＥＣＵ５０は、高温時に学習されていなければ（Ｓ１００：ＮＯ）、ステップＳ１０１において、現在のインジェクター温度（ＩＮＪ温度）が高温であるか否かを確認し、高温であれば（ＹＥＳ）、処理をステップＳ１０２に移行し、高温でなければ（ＮＯ）、そのまま今回の本ルーチンの処理を終了する。
【００４１】
処理がステップＳ１０２に移ると、ＥＣＵ５０は、そのステップＳ１０２において、図２に示した関係に基づいてインジェクター温度からリセット判定値を算出する。そしてＥＣＵ５０は、続くステップＳ１０３において、ベーパーパージ開始後のインジェクター温度の変化量が、その算出したリセット判定値よりも大きいか否かを確認する。ここでＥＣＵ５０は、インジェクター温度の変化量がリセット判定値よりも大きければ（Ｓ１０３：ＹＥＳ）、ステップＳ１０４の処理に移行し、そうでなければ（Ｓ１０３：ＮＯ）、そのまま今回の本ルーチンの処理を終了する。
【００４２】
ステップＳ１０４の処理に移るとＥＣＵ５０は、そのステップＳ１０４においてベーパーパージを中止する。そしてＥＣＵ５０は、続くステップＳ１０５において空燃比学習値の再学習を実施した後、本ルーチンの処理を終了する。
【００４３】
以上説明した本実施の形態の内燃機関の制御装置によれば、以下の効果を奏することができる。
（１）本実施の形態にあってＥＣＵ５０は、吸気中へのパージを通じてベーパーを処理するベーパー処理装置を備える内燃機関１０において、空燃比を目標空燃比とすべく、燃料噴射量の空燃比フィードバック制御を行うようにしている。またＥＣＵ５０は、ベーパーパージを行っていないときの空燃比フィードバック補正値に基づいて空燃比学習値の学習制御を行うようにしている。そしてＥＣＵ５０は、インジェクター温度の変化量が規定のリセット判定値よりも大きいことを条件に、ベーパーパージを中止して空燃比学習値の再学習を実行するようにしている。
【００４４】
こうした本実施の形態では、インジェクター温度が大きく変化すると、ベーパーパージを中止して空燃比学習値の再学習が行われるようになる。そのため、インジェクター温度による空燃比のずれが空燃比学習値に吸収されるようになり、ベーパーパージ再開後の空燃比のずれには、ベーパーパージの影響のみが反映されるようになる。そのため、本実施の形態では、インジェクターの温度変化に拘わらず、ベーパーパージによる空燃比のずれを適切に求めることができ、パージ濃度学習値の学習制御のような、ベーパーパージによる空燃比のずれを確認した上で行われる制御を好適に行うことができるようになる。
【００４５】
したがって、本実施の形態によれば、インジェクター温度の変化による空燃比のずれが空燃比制御に与える悪影響を好適に防止することが、具体的にはインジェクター温度の変化に拘らず、パージ濃度学習値の学習を適切に行うことが、できるようになる。
【００４６】
（２）本実施の形態では、ＥＣＵ５０は、現状のインジェクター温度が高いほど、リセット判定値に小さい値を設定するようにしている。インジェクター１２ｂの温度変化に対する空燃比のずれの感度は、インジェクター温度が高いほど大きくなり、インジェクター温度の変化量が同じでも、その変化による空燃比のずれは、インジェクター温度が低いときほど小さくなる。そのため、したがってインジェクター温度の低いときには、インジェクター温度が変化しても、空燃比のずれは小さいものに留まることから、空燃比学習値の再学習の頻度を減らしても問題ないことになる。
【００４７】
したがって、本実施の形態のように、インジェクター温度に応じてリセット判定値を可変設定すれば、空燃比学習値の再学習のためのベーパーパージの実行機会の減少を抑えながらも、インジェクター温度の変化による空燃比のずれが空燃比制御に与える悪影響を好適に防止することができるようになる。
【００４８】
（第２の実施の形態）
次に、本発明の内燃機関の制御装置を具体化した第２の実施の形態を、図４及び図５を併せ参照して詳細に説明する。なお本実施の形態にあって、上記実施の形態と共通する構成については、同一の符号を付してその詳細な説明は省略する。
【００４９】
上述のように、インジェクター１２ｂの温度変化に対する空燃比のずれの感度は、インジェクター温度が高いほど大きくなる。一方、インジェクター１２ｂの温度変化に対する空燃比のずれの感度は、燃料の性状によっても変化する。具体的には、揮発性の高い軽質燃料の使用時には、インジェクター１２ｂの噴孔部分にベーパーが発生し易いため、重質燃料の使用時に比して、インジェクター温度の変化に伴う空燃比のずれが大きくなる。
【００５０】
そこで本実施の形態では、現在使用中の燃料が軽質燃料であるときには、重質燃料であるときに比して、リセット判定値に小さい値を設定するようにしている。
図４は、そうした本実施の形態でのリセット判定値の設定態様を示している。同図に示すように、リセット判定値、重質燃料、軽質燃料のいずれにおいても、インジェクター温度が高いほど、小さい値が設定される一方で、インジェクター温度が同じときのリセット判定値は、軽質燃料の使用時には、重質燃料の使用時に比して小さい値が設定されるようになっている。このように本実施の形態では、軽質燃料の使用時には、重質燃料の使用時に比して、リセット判定値に小さい値を設定することで、空燃比学習値の再学習の頻度を高めている。
【００５１】
また、本実施の形態では、インジェクター温度に応じて燃料噴射量の補正を行うようにしてもいる。そして本実施の形態では、こうした燃料噴射量のインジェクター温度補正の態様も、使用中の燃料が重質であるか、軽質であるかによって切り替えるようにしている。
【００５２】
図５は、本実施の形態におけるインジェクター温度に関した燃料噴射補正量の設定態様を示している。同図に示すように、燃料噴射補正量は、重質燃料、軽質燃料のいずれにおいても、インジェクター温度が高いほど大きい値に設定される一方で、インジェクター温度が同じときの燃料噴射補正量は、軽質燃料の使用時には、重質燃料の使用時に比して大きい値が設定されるようになっている。
【００５３】
なお、本実施の形態では、重質燃料、軽質燃料のいずれの燃料が使用されているかの判定を、機関始動直後の機関回転速度の推移のパターンに基づいて行うようにしている。揮発性の低い重質燃料が使用されていると、吸気ポートやシリンダー内の温度が低い機関始動時には、燃料の気化が限定されたものとなり、実際に燃焼される燃料の量が不足する。そのため、重質燃料の使用時には、軽質燃料の使用時に比して、機関始動時の機関回転速度の立ち上がりが遅くなり、またファーストアイドルへの移行に際して機関回転速度のアンダーシュートが発生する。このように燃料が重質／軽質のいずれであるかによって、機関始動直後の機関回転速度の推移のパターンが異なり、これを見ることで、重質／軽質の判定を行うことができる。
【００５４】
本実施の形態によれば、上記（１）及び（２）の効果に加え、更に次の効果を奏することができる。
（３）本実施の形態では、使用中の燃料が軽質燃料であるときには、重質燃料であるときに比して、リセット判定値に小さい値を設定するようにしている。使用中の燃料が軽質燃料であるときには、揮発性が高く、インジェクターの噴孔部分にベーパーが発生し易いため、重質燃料であるときに比して、インジェクター温度の変化に伴う空燃比のずれが大きくなる。したがって本実施の形態によれば、空燃比学習値の再学習のためのベーパーパージの実行機会の減少を抑えながらも、インジェクター温度の変化による空燃比のずれが空燃比制御に与える悪影響を好適に防止することができるようになる。
【００５５】
（第３の実施の形態）
次に、本発明の内燃機関の制御装置を具体化した第２の実施の形態を、図６及び図７を併せ参照して詳細に説明する。なお本実施の形態にあって、上記実施の形態と共通する構成については、同一の符号を付してその詳細な説明は省略する。
【００５６】
燃料タンクの燃料は、揮発性の高い軽質成分から順次気化するため、時間の経過とともに重質となる。そのため、給油がなされた直後の燃料タンク内の燃料には未だ揮発性の高い軽質成分が多く含まれており、インジェクター温度の変化に伴う空燃比のずれが大きくなる。
【００５７】
そこで本実施の形態では、大量の燃料給油がなされた直後には、そうでないときに比して、リセット判定値に小さい値を設定するようにしている。
図６は、そうした本実施の形態でのリセット判定値の設定態様を示している。同図に示すように、リセット判定値は、通常時、大量給油直後のいずれにおいても、インジェクター温度が高いほど、小さい値が設定される一方で、インジェクター温度が同じときのリセット判定値は、大量給油直後には、通常時に比して小さい値が設定されるようになっている。このように本実施の形態では、大量給油の直後には、そうでないときに比して、リセット判定値に小さい値を設定することで、空燃比学習値の再学習の頻度を高めている。
【００５８】
また、本実施の形態では、大量給油の直後であるか否かによって、燃料噴射量のインジェクター温度補正の態様を切り替えるようにしている。
図７は、本実施の形態におけるインジェクター温度に関した燃料噴射補正量の設定態様を示している。同図に示すように、燃料噴射補正量は、通常時、大量給油直後のいずれにおいても、インジェクター温度が高いほど大きい値に設定される一方で、インジェクター温度が同じときの燃料噴射補正量は、大量給油の直後には、通常時に比して小さい値が設定されるようになっている。
【００５９】
なお、大量給油の直後であるか否かの判定は、機関停止中の燃料ゲージの変化量に基づき行われるようになっている。
本実施の形態によれば、上記（１）及び（２）の効果に加え、更に次の効果を奏することができる。
【００６０】
（４）本実施の形態では、燃料の給油がなされた直後には、そうでないときに比して、リセット判定値に小さい値を設定するようにしている。燃料タンクの燃料は、揮発性の高い軽質成分から順次気化するため、時間の経過とともに重質となる。そのため、燃料の給油がなされた直後には、インジェクター温度の変化に伴う空燃比のずれが大きくなる。したがって、給油の直後であるか否かによってリセット判定値の設定態様を異ならせる本実施の形態によれば、空燃比学習値の再学習のためのベーパーパージの実行機会の減少を抑えながらも、インジェクター温度の変化による空燃比のずれが空燃比制御に与える悪影響を好適に防止することができるようになる。
【００６１】
なお、上記実施の形態は以下のように変更して実施することもできる。
・第２の実施の形態では、重質燃料の使用時と軽質燃料の使用時とで、燃料噴射量のインジェクター温度補正の態様を異ならせるようにしていた。もっとも、インジェクター温度による空燃比のずれの度合が使用燃料の性状の違いによってあまり大きく変化しないのであれば、重質燃料の使用時も軽質燃料の使用時も、同様の態様で燃料噴射量のインジェクター温度補正を行うようにしても良い。
【００６２】
・第３の実施の形態では、給油直後であるか否かによって、燃料噴射量のインジェクター温度補正の態様を異ならせるようにしていた。もっとも、インジェクター温度による空燃比のずれの度合が給油直後であるか否かによってあまり大きく変化しないのであれば、給油直後もそうでないときも、同様の態様で燃料噴射量のインジェクター温度補正を行うようにしても良い。
【００６３】
・第２及び第３の実施の形態では、燃料噴射量のインジェクター温度補正を行うようにしていたが、インジェクター温度による空燃比のずれが小さく、補正を行わずとも空燃比制御の制御性を十分に確保できるのであれば、燃料噴射量のインジェクター温度補正は省略しても良い。
【００６４】
・上記実施の形態では、図３のステップＳ１０３におけるイジェクター温度の変化量がリセット判定値を超えるか否かの判定を、空燃比学習値の前回の学習時或いは現在のインジェクター温度が高温であるときにのみ行うようにしていた。空燃比学習値の前回の学習時や現在のインジェクター温度が高温でなくても、インジェクター１２ｂの温度変化がパージ濃度学習に悪影響を与えるのであれば、そうした判定を常時行うようにしても良い。
【００６５】
・上記実施の形態では、インジェクター温度を、機関冷却水温から算出される内燃機関１０からの受熱量、吸気温に基づいて算出される吸気による冷却量、燃料温度に基づいて推定して求めるようにしていたが、これとは別の態様でインジェクター温度を推定するようにしても良い。またインジェクター１２ｂに温度センサーを設置し、インジェクター温度を実測により求めるようにしても良い。
【００６６】
・上記実施の形態では、リセット判定値を、インジェクター温度などにより可変設定していたが、インジェクター温度の変化による空燃比のずれが空燃比制御に与える悪影響を十分に抑制可能であれば、リセット判定値を固定の定数としても良い。
【符号の説明】
【００６７】
１０…内燃機関、１１…燃焼室、１２…吸気通路、１２ａ…デリバリーパイプ、１２ｂ…インジェクター、１２ｃ…スロットルバルブ、１２ｄ…エアクリーナー、１２ｅ…吸気圧センサー、１３…排気通路、１３ａ…触媒コンバーター、１３ｂ空燃比センサー、
２０…ベーパー処理装置、３０…燃料タンク、３１…燃料ポンプ、３２…タンク内圧センサー、３３…ブリーザー制御バルブ、３４…ブリーザーライン、３５…ベーパーライン、４０…キャニスター、４１…仕切板、４２…第１吸着剤室、４３…第２吸着剤室、４４…通気性フィルター、４５…キャニスター空気層、５０…電子制御装置（ＥＣＵ）、６０…タンク内圧制御バルブ、６１…ダイアフラム弁体、７０…大気バルブ、７１…パージライン、７１ａ…パージ調整バルブ（ＶＳＶ）、７２…大気導入ライン、７２ａ…大気導入バルブ、７３…大気排出ライン、７４…第１のダイアフラム弁体、７４ａ…空間、７５…第２のダイアフラム弁体、８０…バイパスライン、８０ａ…バイパス制御バルブ。
【図１】
0005440402.tif 000002
【図２】
0005440402.tif 000003
【図３】
0005440402.tif 000004
【図４】
0005440402.tif 000005
【図５】
0005440402.tif 000006
【図６】
0005440402.tif 000007
【図７】
0005440402.tif 000008